(57)【要約】【課題】座り心地が良く、安定性及び外観が良好である椅子として使用することができ、椅子への切り換えが容易であり、エレベータ等の閉鎖空間に配置することも可能である便器、及び該便器を備える便器システムを提供する。【解決手段】便器システムの便器１は、便座３と、五角筒状をなし、便座３を上端部に嵌めて便座３を支持する支持筒２と、便座３を覆う座板部４と、座板部４に載置されるクッション材５と、支持筒２の下端に嵌合される底板部とを備える。支持筒２は、略直角をなす長側面部２４，２５と、長側面部２４，２５に連なる短側面部２２，２３と、短側面部２２，２３を連結する連結側面部２１とを有する。【選択図】図８
2014239872.tif 000002
【特許請求の範囲】
【請求項１】
便座と、該便座を上端部に嵌めて該便座を支持する支持筒とを備える便器において、
前記便座を覆う座板部を備えることを特徴とする便器。
【請求項２】
前記支持筒は、平面視が、略直角をなす二辺を含み、辺数が５以上である多角形状をなすことを特徴とする請求項１に記載の便器。
【請求項３】
前記支持筒の各辺に対応する各側面部は、それぞれ連結部により折り畳み自在に連結されていることを特徴とする請求項２に記載の便器。
【請求項４】
前記支持筒は、平面視が五角形状をなし、
前記二辺に隣接しない辺に対応する側面部は、該側面部の幅方向の中央部で、二つの半体を、連結部により折り畳み自在に連結してなることを特徴とする請求項３に記載の便器。
【請求項５】
前記二辺以外の各辺の長さの和は、前記二辺の和に略等しいことを特徴とする請求項４に記載の便器。
【請求項６】
前記便座は、前記支持筒の前記二辺に隣接しない辺に対応する側が開いており、
前記支持筒の前記辺に対応する側面部には、前記便座の開いた部分に対応して凹部が設けられていることを特徴とする請求項２から５までのいずれか一項に記載の便器。
【請求項７】
前記座板部は、前記凹部を外側から閉塞する閉塞板を有することを特徴とする請求項６に記載の便器。
【請求項８】
下面に吸着層を有し、前記座板部に載置されるクッション材を備えることを特徴とする請求項１から７までのいずれか一項に記載の便器。
【請求項９】
前記支持筒の下端に嵌合する底板部を備えることを特徴とする請求項１から８までのいずれか一項に記載の便器。
【請求項１０】
少なくとも一部の側面部は同一形状をなすことを特徴とする請求項１から９までのいずれか１項に記載の便器。
【請求項１１】
前記同一形状をなす側面部同士は、上下を逆に連結してあることを特徴とする請求項１０に記載の便器。
【請求項１２】
前記連結部は、軸心方向に並ぶ一対の筒部を有する蝶番であり、各筒部が前記側面部に設けてあることを特徴とする請求項１１に記載の便器。
【請求項１３】
前記２つの半体は同一形状をなすことを特徴とする請求項４に記載の便器。
【請求項１４】
各半体に連結する側面部は同一形状をなし、上下が逆であることを特徴とする請求項１３に記載の便器。
【請求項１５】
前記連結部は、軸心方向に並ぶ一対の筒部を有する蝶番であり、各筒部が前記側面部、及び隣接する前記半体に設けてあることを特徴とする請求項１４に記載の便器。
【請求項１６】
前記側面部は、前記支持筒の軸方向の両端部に突起部を有することを特徴とする請求項１０から１５までのいずれか１項に記載の便器。
【請求項１７】
請求項１から１６までのいずれか一項に記載の便器と、
使用時に、前記便座、及び前記支持筒を覆うカバーと
を備えることを特徴とする便器システム。
【発明の詳細な説明】
【技術分野】
【０００１】
本発明は、折り畳み自在であり、携帯可能である便器、及び該便器を備える便器システムに関する。
【背景技術】
【０００２】
携帯用の便器として、便座と、四角筒状をなし、便座を上端部に嵌めて支持する支持筒とを備え、支持筒を折り畳み自在に構成したものが知られている。この便器は、携帯時には小さく折り畳み、使用時には、支持筒を折り畳み線から開いて箱状にし、支持筒に便座を嵌めて組み立て、支持筒内にポリエチレン、ポリプロピレン等からなり、遮水性を有する汚物袋を収容する。使用後は汚物袋の内部に、吸水した場合にゲル化する凝固剤を投入し、汚物袋を密封して廃棄する。
【０００３】
特許文献１の携帯用便器においては、便座が４つに分割されており、便座も折り畳むことができるように構成されている。
【先行技術文献】
【特許文献】
【０００４】
【特許文献１】特許第４８９２３２３号公報
【発明の概要】
【発明が解決しようとする課題】
【０００５】
特許文献１等の携帯用便器は、子供、高齢者等が椅子として使用することがあるが、便座の中央側には便座穴が設けられているので、座り心地が悪く、安定性に欠けるという問題があった。また、椅子として部屋等に配置するには外観が悪いという問題があった。
そして、支持筒は上述したように四角筒状をなしており、支持筒の直角部分を部屋の角部に合わせた状態で便器を配置することにした場合、支持筒の左右方向の一方の側面部は部屋の内壁に当接することになるので、使用者は一方の足を側面部の外側に出すことができず、窮屈であり、トイレとして使用するとき、便座穴の中心部に、体の中心部を合わせることができず、使用することができないことがあるという問題があった。
【０００６】
ところで、地震が発生した場合、停電した場合等に、エレベータは停止するので、乗り合わせた者は長時間閉じこめられ、用を足すことができず、困る。そのため、エレベータ内に便器を設置することが要望されているが、外観上の問題があった。
【０００７】
本発明は斯かる事情に鑑みてなされたものであり、座り心地が良く、安定性及び外観が良好である椅子として使用することができ、椅子への切り換えが容易であり、エレベータ等の閉鎖空間に配置することも可能である便器、及び該便器を備える便器システムを提供することを目的とする。
【課題を解決するための手段】
【０００８】
本発明に係る便器は、便座と、該便座を上端部に嵌めて該便座を支持する支持筒とを備える便器において、前記便座を覆う座板部を備えることを特徴とする。
【０００９】
本発明においては、座板部を備えるので、該座板部に座って椅子として使用することができ、座板部は板状をなすので座り心地が良く、安定性が良好であり、外観が良好である。座板部の着脱により、椅子との切り換えが容易である。
また、エレベータ等の閉鎖空間に配置することで、通常は椅子として使用し、緊急時には便器として使用することができる。
【００１０】
本発明に係る便器は、前記支持筒は、平面視が、略直角をなす二辺を含み、辺数が５以上である多角形状をなすことを特徴とする。
【００１１】
本発明においては、直角部分を部屋、エレベータ等の閉鎖空間の角部に収まり良く配置することができる。また、使用者は、背側を直角部分に向けた状態で座ることになるが、支持筒が五角形以上の多角形状をなすので、便器が四角形をなす場合の前側角部が面取りされていることになり、座るときに支持筒の側面部が妨げになることがなく、足を動かしやすい。そして、便器の閉鎖空間の内側への突出量を減じることができる。
【００１２】
本発明に係る便器は、前記支持筒の各辺に対応する各側面部は、それぞれ連結部により折り畳み自在に連結されていることを特徴とする。
【００１３】
本発明においては、支持筒を折り畳むことができるので、持ち運びやすく、また収納に便利である。
【００１４】
本発明に係る便器は、前記支持筒は、平面視が五角形状をなし、前記二辺に隣接しない辺に対応する側面部は、該側面部の幅方向の中央部で、二つの半体を、連結部により折り畳み自在に連結してなることを特徴とする。
【００１５】
本発明においては、支持筒を折り畳みやすく、二つ折りにすることが可能である。
【００１６】
本発明に係る便器は、前記二辺以外の各辺の長さの和は、前記二辺の和に略等しいことを特徴とする。
【００１７】
本発明においては、直角を挟む二辺に対応する２つの側面部の内側に、各半体を収納した状態で側面部を折り畳むことができ、折り畳んだ状態の支持筒の大きさを小さくすることができる。
【００１８】
本発明に係る便器は、前記便座は、前記支持筒の前記二辺に隣接しない辺に対応する側が開いており、前記支持筒の前記辺に対応する側面部には、前記便座の開いた部分に対応して凹部が設けられていることを特徴とする。
【００１９】
本発明においては、座りやすく、前記辺に対応する側が開いていない場合と比較して、便座を小さくすることができる。そして、凹部に手を差し入れて、支持筒を折り畳み状態から容易に開くことができる。
【００２０】
本発明に係る便器は、前記座板部は、前記凹部を外側から閉塞する閉塞板を有することを特徴とする。
【００２１】
本発明においては、座板部を便座に嵌めて椅子として使用する場合の外観が良好である。
【００２２】
本発明に係る便器は、下面に吸着層を有し、前記座板部に載置されるクッション材を備えることを特徴とする。
【００２３】
本発明においては、座り心地が良好である。また、吸着層により、クッション材の座板部からのずれが抑制されている。
【００２４】
本発明に係る便器は、前記支持筒の下端に嵌合する底板部を備えることを特徴とする。
【００２５】
本発明においては、中に汚物等が入った状態で、便器を持ち運ぶことができる。
【００２６】
本発明に係る便器は、少なくとも一部の側面部は同一形状をなすことを特徴とする。
【００２７】
本発明においては、側面部を成形するための金型の数を減少させて、製品のコストダウンを図ることができ、構造の簡素化を図ることができる。
【００２８】
本発明に係る便器は、前記同一形状をなす側面部同士は、上下を逆に連結してあることを特徴とする。
【００２９】
本発明においては、同一形状をなす側面部同士を容易に連結することができる。
【００３０】
本発明に係る便器は、前記連結部は、軸心方向に並ぶ一対の筒部を有する蝶番であり、各筒部が前記側面部に設けてあることを特徴とする。
【００３１】
本発明においては、簡単な構造で、同一形状をなす側面部同士を容易に連結することができる。
【００３２】
本発明に係る便器は、前記２つの半体は同一形状をなすことを特徴とする。
【００３３】
本発明においては、２つの半体は同一形状をなすので、簡単な構造で、製品のコストダウンを図ることができる。
【００３４】
本発明に係る便器は、各半体に連結する側面部は同一形状をなし、上下が逆であることを特徴とする。
【００３５】
本発明においては、半体と該半体に連結する側面部とを、簡単な構造で容易に連結することができ、製品のコストダウンを図ることができる。
【００３６】
本発明に係る便器は、前記連結部は、軸心方向に並ぶ一対の筒部を有する蝶番であり、各筒部が前記側面部、及び隣接する前記半体に設けてあることを特徴とする。
【００３７】
本発明においては、簡単な構造で、半体と該半体に連結する側面部とを容易に連結することができる。
【００３８】
本発明に係る便器は、前記側面部は、前記支持筒の軸方向の両端部に突起部を有することを特徴とする。
【００３９】
本発明においては、支持筒の軸方向の一方の側の突起部に便座を嵌め、他方の側の突起部を脚部として用いることができる。
【００４０】
本発明に係る便器システムは、上述のいずれかの便器と、使用時に、前記便座、及び前記支持筒を覆うカバーとを備えることを特徴とする。
【００４１】
本発明においては、カバーに覆われた状態で、使用者は他者の目を気にせずに使用することができ、臭気の漏れが抑制される。
【発明の効果】
【００４２】
本発明によれば、便座を覆う座板部を備えるので、座板部に座って椅子として使用することができ、座板部は板状をなすので座り心地が良く、安定性が良好であり、外観が良好である。座板部の着脱により、椅子との切り換えは容易である。
また、エレベータ等の閉鎖空間に配置することで、通常は椅子として使用し、緊急時には便器として使用することができる。
そして、本発明によれば、少なくとも一部の側面部が同一の形状をなすように構成することで、側面部を成形するための金型の数を減少させて製品のコストダウンを図ることができ、構造の簡素化を図ることができる。
【図面の簡単な説明】
【００４３】
【図１】本発明の実施の形態に係る便器システムの便器を示す斜視図である。
【図２】便器を示す正面図である。
【図３】便器を示す右側面図である。
【図４】便器を示す左側面図である。
【図５】便器を示す背面図である。
【図６】便器を示す平面図である。
【図７】便器を示す裏面図である。
【図８】便器を分解した状態を示す斜視図である。
【図９】便器を分解した状態を示す斜視図である。
【図１０】支持筒を折り畳んだ状態から開いた状態を示す斜視図である。
【図１１】使用時に凝固剤を投入する状態を示す図である。
【図１２】便器システムをエレベータ内に配置した状態を示す説明図である。
【図１３】便器の使用状態を示す説明図である。
【図１４】本発明の実施の形態２に係る便器を示す斜視図である。
【図１５】便器を示す正面図である。
【図１６】便器を示す右側面図である。
【図１７】便器を示す左側面図である。
【図１８】便器を示す背面図である。
【図１９】便器を示す平面図である。
【図２０】便器を示す裏面図である。
【図２１】６つの側面部の平面図である。
【図２２】便器を分解した状態を示す斜視図である。
【図２３】支持筒を折り畳んだ状態を示す斜視図である。
【図２４】支持筒を折り畳んだ状態から開いた状態を示す斜視図である。
【発明を実施するための形態】
【００４４】
以下、本発明をその実施の形態を示す図面に基づいて具体的に説明する。
実施の形態１．
図１は、本発明の実施の形態１に係る便器システム１００の便器１を示す斜視図、図２は便器１を示す正面図、図３は便器１を示す右側面図、図４は便器１を示す左側面図、図５は便器１を示す背面図、図６は便器１を示す平面図、図７は便器１を示す裏面図、図８は便器１を分解した状態を示す斜視図、図９は便器１を分解した状態を示す斜視図、図１０は支持筒２を折り畳んだ状態から開いた状態を示す斜視図である。
【００４５】
便器１は合成樹脂製であり、便座３と、五角筒状をなし、便座３を上端部に嵌めて便座３を支持する支持筒２と、便座３を覆う座板部４と、座板部４に載置されるクッション材５と、支持筒２の下端に嵌合される底板部６とを備える。
【００４６】
支持筒２は、平面視で、五角形状をなし、略直角をなす二長辺と、該二長辺にそれぞれ連なる二短辺と、該二短辺を連結し、短辺より長く、長辺より短い連結辺とを有する。
すなわち、支持筒２は、前記連結辺に対応する連結側面部２１と、前記二短辺に対応する短側面部２２，２３と、前記二長辺に対応する長側面部２４，２５とを有する。
【００４７】
連結側面部２１の上部の中央部には、凹部２１ｃが設けられている。連結側面部２１の下部も中央部が凹み、両端部が脚部となるように構成されている。
連結側面部２１は、幅方向の中央部で分割した二つの半体２１ａ，２１ｂを、分割部分の上下に設けた連結部２１ｄ，２１ｄにより連結してある。
連結部２１ｄは蝶番状をなし、軸部と、半体２１ａに設けられ、軸部の軸方向の中央部に回動可能に嵌められた筒部と、半体２１ｂに設けられ、軸部の軸方向の両端部に回動可能に嵌められる２つの筒部とを有する。
【００４８】
短側面部２２，２３は、上部及び下部の中央部が凹んだ板状をなし、下部の連結側面部２１側の端部が脚部となるように構成されている。
そして、半体２１ａと短側面部２２とが、半体２１ｂと短側面部２３とが、それぞれ、上下に設けられた連結部２６，２６により連結されている。
連結部２６は蝶番状をなし、軸部と、短側面部２２，２３に設けられ、軸部の軸方向の中央部に回動可能に嵌められた筒部と、半体２１ａ，２１ｂに設けられ、軸部の軸方向の両端部に回動可能に嵌められた２つの筒部とを有する。
【００４９】
長側面部２４，２５は、板状をなす本体２４ｂ，２５ｂと、本体２４ｂ，２５ｂの上端縁部に設けられ、内側に張り出した張出部２４ｃ，２５ｃと、本体２４ｂ，２５ｂの下端縁部に設けられ、内側に張り出した張出部２４ｄ，２５ｄと、本体２４ｂ，２５ｂの側縁部に設けられ、内側に張り出した張出部２４ｅ，２５ｅとを有する。本体２４ｂ，２５ｂの内面には、縦横にリブが設けられている。張出部２４ｅ，２５ｅの中央部には切り欠き部が設けられている。
本体２４ｂ，２５ｂの上部には、横長の長方形状をなす開口２４ａ，２５ａが設けられている。この開口２４ａ，２５ａに手を差し入れて便器１を持ち上げ、持ち運ぶことができる。
張出部２４ｄ，２５ｄの外面の両端部には、ゴム製の脚部２７，２７が設けられている。
【００５０】
長側面部２４，２５は、上下に設けられた連結部２９，２９により連結されている。連結部２９は、軸部と、長側面部２５に設けられ、軸部の軸方向の外側端部に回動可能に嵌められた半円状の板部と、長側面部２４に設けられ、軸部の軸方向の内側端部に回動可能に嵌められた半円状の板部とを有する。長側面部２４，２５は、連結部２９，２９により、張出部２４ｃ，２４ｄ，２４ｅそれぞれの端縁部と、張出部２５ｃ，２５ｄ，２５ｅそれぞれの端縁部とが当接する状態で、閉じることができるように構成されている（図１０参照）。
【００５１】
短側面部２２，２３は、長側面部２４，２５側の端部が、張出部２４ｅ，２５ｅの内側に入った状態で、上下に設けられた連結部２８，２８により長側面部２４，２５と連結されている。上側の連結部２８は、軸部と、長側面部２４，２５の上の角部に設けられ、軸部の軸方向の外側端部に嵌められたリブと、短側面部２２，２３の側縁部の上部に設けられ、軸部の軸方向の内側端部に回動可能に嵌められた筒部とを有する。下側の連結部２８は、張出部２４ｄ，２５ｄの端部に挿通された軸部と、短側面部２２，２３の側縁部の下部に設けられ、軸部の軸方向の内側端部に回動可能に嵌められた筒部とを有する。
短側面部２２，２３、及び連結側面部２１の各辺の長さの和は、長側面部２４，２５の各辺の和に略等しい。
従って、長側面部２４，２５の内側に、短側面部２２，２３、及び半体２１ａ，２１ｂを折り込んで収納した状態で、長側面部２４，２５が合わせられる（図９、図１０参照）。このとき、連結側面部２１、及び短側面部２２，２３の脚部は、張出部２４ｄ，２５ｄの中央部に設けられた前記切り欠き部から突出するように構成されている。
支持筒２は、連結側面部２１の凹部２１ｃに手を挿し入れて引き出し、開くことにより、箱状に変形される。
【００５２】
底板部６は、支持筒２の五角形の直角部分に対応する部分が斜めに切り欠かれた形状、すなわち六角形状をなす。底板部６の中央部には、横方向に２つ、穴６ａ，６ａが設けられている。
底板部６は、長側面部２４，２５の張出部２４ｄ，２５ｄに、端部を配する状態で、支持筒２の下端に嵌合される。底板部６の着脱は、穴６ａ，６ａに手を差し入れて行う。
【００５３】
便座３は、外縁の形状が、支持筒２の五角形と略一致しており、連結側面部２１側の辺の中央部が開口している。すなわち、連結側面部２１側が開いている。便座３の便座穴３ａは、長円の長軸方向の端部に長方形を連結した馬蹄形状をなす。便座３の裏側は、側面以外の部分は凹んでおり、凹みにはリブが設けられ、強度を確保しつつ、軽量化が図られている。
便座３は、先端部を、連結側面部２１，短側面部２２，２３の上端の突出部に嵌合し、直角を挟む二辺を張出部２４ｃ，２４ｄに嵌合した状態で、支持筒２の上端部に嵌められる。
【００５４】
座板部４は、支持筒２の五角形と略一致する形状をなす。
図９に示すように、座板部４は、本体４ａと、本体４ａから張り出した張出部４ｂとを有する。
本体４ａは、外面の外縁部以外の部分が少し凹んでおり、この凹んだ部分に、後述するクッション材５を嵌め入れるように構成されている。また、本体４ａの内面にはリブが設けられ、強度を確保しつつ、軽量化が図られている。
図８の部分拡大図に示すように、座板部４は、横長の舌状をなし、張出部４ｂの連結側面部２１に対応する部分の内側とリブの端部との間に挟み込んで固定される閉塞板４１を備える。
座板部４は、本体４ａ，張出部４ｂにより、便座３の上面及び側面を覆った状態で、便器３に嵌められる。
このとき、閉塞板４１は、連結側面部２１の開口部２１ｃを外側から閉塞する。
【００５５】
クッション材５は、裏側に、多孔質であって弾性及び真空吸着性を有する吸着層を備える。従って、座板部４に載置した場合に、滑り止め効果が奏される。
【００５６】
便器システム１００は、以上のように構成された便器１と、例えばポリエチレン、ポリプロピレン等からなり、黒色等の色を有する汚物袋７と、袋に収容された凝固剤８と、例えばポリエチレン、ポリプロピレン等からなり、黒色等の色を有するカバー９（図１３参照）とを備える。汚物袋７及びカバー９は遮水性を有する。カバー９は袋状をなし、底部の中央部には開口部９ａが設けられている。カバー９は、使用者が、開口部９ａから顔のみを出した状態で、全身を覆うように構成されている。
便器システム１００は、上述したように支持筒２を開いて箱状に形成し、支持筒２の下端に底板部６を嵌め、支持筒２内に汚物袋７、凝固剤８、及びカバー９を収納した後、支持筒２の上端部に便座３を嵌め、さらに座板部４を便座３に嵌めることにより組み立てられる。
【００５７】
便器システム１００は、部屋、エレベータ等の閉鎖空間の内壁の角部に、支持筒２の直角部分が当接するように、配置される。
便器システム１００は、便座３に座板部４を嵌めた状態で、椅子として使用される。座板部４は板状をなすので座り心地が良く、安定性が良好であり、便座穴３ａが視認されず、外観が良好である。
【００５８】
便器として使用する場合は、座板部４を便座３から外す。そして、便座３を一旦支持筒２から外し、汚物袋７を、その開口縁部を折り曲げて支持筒２の上端部に係止した状態で支持筒２の内壁に沿わせて収容する。再度、汚物袋７を介在させた状態で便座３を支持筒２の上端部に嵌める。以上のように、本実施の形態に係る便器システム１００は、椅子と便器との切り換えが容易であり、緊急時に便器として容易に使用することができる。
【００５９】
図１１は、使用時に凝固剤８を投入する状態を示す図である。
図１１に示すように、使用後に汚物に凝固剤８をふりかける。これにより、汚物が凝固し、汚物袋７を廃棄しやすくなる。
【００６０】
図１２は、便器システム１００をエレベータ１０内に配置した状態を示す説明図である。
図１２においては、座板部４を外し、支持筒２の上端部に汚物袋７の開口縁部を係止した状態を示している。
便器システム１００は、通常は、座板部４を便座３に嵌め、汚物袋７は支持筒２の上端部に係止していない状態で、エレベータ１０内に配置する。
この場合、椅子として用いられ、高齢者、足に怪我をしている者、エレベータ１０の移動により気分が悪くなった者等が座ることができる。便器システム１００は、上述したように、内壁の角部に直角部分を合わせた状態で収められ、左右方向に延びる連結側面部２１が内側を向いており、すなわち支持筒２の側面部が面取りされた状態で配置されているので、エレベータ１０内に立っている者の妨げにならない。そして、使用者は、背側を直角部分に向けた状態で座ることになるが、連結側面部２１側が前側に対応しており、座るときに妨げになることがなく、座りやすく、足を動かしやすい。また、座板部４が閉塞板４１を有し、連結側面部２１の開口部２１ｃを閉塞するので、外観が良好である。便器システム１００はゴミ箱として使用することもできる。
【００６１】
地震、停電等が発生してエレベータ１０が停止し、中にいる者が長時間閉じこめられた場合、便器システム１００を簡易トイレとして用いることができる。
使用者は、座板部４を外し、汚物袋７、凝固剤８、及びカバー９を支持筒２から取り出す。そして、汚物袋７を支持筒２内の上端部に係止した状態で支持筒２内に収容し、便座３を支持筒２の上端部に嵌める。そして、使用者はカバー９を開口部９ａから顔を出した状態で被り、カバー９により便器１を覆った状態で便器１に座って使用することができる。
図１３は便器１の使用状態を示す説明図である。
カバー９に覆われているので、使用者Ａは他者の目を気にせずに使用することができ、臭気の漏れが抑制される。
【００６２】
以上のように構成された本実施の形態に係る便器システム１００は、支持筒２を折り畳むことができるので、持ち運びやすく、また収納に便利である。そして、支持筒２が、平面視が五角形状をなし、短側面部２２，２３、及び連結側面部２１の各辺の長さの和は、長側面部２４，２５の各辺の和に略等しく、しかも連結側面部２１は幅方向の中央部で、分割した二つの半体２１ａ，２１ｂからなるので、長側面部２４，２５の内側に、それぞれ半体２１ａ，２１ｂを収納した状態で側面部を折り畳むことができ、折り畳んだ状態の支持筒２の大きさをコンパクトにすることができる。
【００６３】
なお、前記実施の形態においては、支持筒２が、五角筒状をなす場合につき説明しているがこれに限定されるものではなく、六角筒状等、他の多角筒状をなすものであってもよい。
そして、連結部２１ｄ，２６，２８，２９が蝶番状をなす場合につき説明しているがこれに限定されるものではなく、各側面部の連結部分が他部分より薄くなるように成形し、折り曲げ自在になるように構成してもよい。
また、座板部４は便座３の側面までを覆う場合に限定されるものではなく、便座３の上面に載置するものであってもよい。
さらに、便座３は、連結側面部２１側の辺の中央部が開口しておらず、便座穴３ａが長円状をなすようにしてもよい。
【００６４】
実施の形態２．
本発明の実施の形態２に係る便器１１は、支持筒２の各側面部の形状が異なること以外は、実施の形態１に係る便器１と同様の構成を有する。
図１４は、本発明の実施の形態２に係る便器１１を示す斜視図、図１５は便器１１を示す正面図、図１６は便器１１を示す右側面図、図１７は便器１１を示す左側面図、図１８は便器１１を示す背面図、図１９は便器１１を示す平面図、図２０は便器１１を示す裏面図、図２１は６つの側面部の平面図、図２２は便器１１を分解した状態を示す斜視図、図２３は支持筒２を折り畳んだ状態を示す斜視図、図２４は支持筒２を折り畳んだ状態から開いた状態を示す斜視図である。図中、図１〜８と同一部分は同一符号を付して詳細な説明を省略する。
【００６５】
便器１１は合成樹脂製であり、便座３と、五角筒状をなし、便座３を上端部に嵌めて便座３を支持する支持筒２と、便座３を覆う座板部４と、支持筒２の下端に嵌合される底板部６とを備える。
底板部６は、合成樹脂ではなく、有孔の合板（パンチングボード等）から構成することにしてもよい。この場合、軽量化及びコストダウンが図られる。
【００６６】
支持筒２は、平面視で、五角形状をなし、略直角をなす二長辺と、該二長辺にそれぞれ連なる二短辺と、該二短辺を連結し、該短辺より長く、長辺より短い連結辺とを有する。
すなわち、支持筒２は、前記連結辺に対応する連結側面部２１と、前記二短辺に対応する短側面部２２，２３と、前記二長辺に対応する長側面部２４，２５とを有する。
連結側面部２１、短側面部２２，２３、長側面部２４，２５には、支持筒２の軸方向の両端部にそれぞれ、突起部２１ｅ，２１ｅ、突起部２２ｅ，２２ｅ、突起部２３ｅ，２３ｅ、突起部２４ｅ，２４ｅ、突起部２５ｅ，２５ｅが設けられている。そして、長側面部２４，２５には、幅方向の中央部に、上下に延びる凹部２４ｆ，２５ｆが設けられている。
【００６７】
連結側面部２１は、幅方向の中央部で分割した二つの半体２１ａ，２１ｂを、分割部分の上下に設けた連結部３０，３０により連結してある。
本実施の形態においては、半体２１ａと半体２１ｂとは同一形状をなし、互いに上下が逆になる状態で連結されている。
【００６８】
連結部３０は蝶番状をなし、軸部３０ｃ（図２０参照）と、軸部３０ｃの軸心方向に並ぶ一対の筒部３０ａ，３０ｂ（図２１参照）とを有する。
図２１に示す上側の連結部３０においては、軸部３０ｃ（図２１では不図示）の下部が筒部３０ｂに内嵌された状態で、軸部３０ｃの上部が筒部３０ａに回動自在に内嵌されている。筒部３０ａは半体２１ｂの左上端部に設けられ、筒部３０ｂは半体２１ａの右上端部から筒部３０ａの長さ分下がった位置に設けられている。筒部３０ａは筒部３０ｂに対して相対的に回動できるように構成されている。
図２１に示す下側の連結部３０においては、筒部３０ａは半体２１ａの右下端部に設けられ、筒部３０ｂは半体２１ｂの左下端部から筒部３０ａの長さ分上がった位置に設けられている。
以上の構成により、半体２１ａと半体２１ｂとは折り畳み、及び展開を自在に行うことができる。
【００６９】
短側面部２２と短側面部２３とは同一形状をなし、上下が逆になる状態で、それぞれ連結部３１，３１により半体２１ａ，半体２１ｂに連結されている。
長側面部２４と長側面部２５とは同一形状をなし、上下が逆になる状態で、連結部３３，３３により連結されている。
【００７０】
連結部３１は蝶番状をなし、軸部３１ｃ（図２０参照）と、軸部３１ｃの軸心方向に並ぶ一対の筒部３１ａ，３１ｂ（図２１参照）とを有する。
図２１の半体２１ａと短側面部２２との間において、上側の連結部３１は、軸部３１ｃ（図２１では不図示）の下部が筒部３１ｂに内嵌された状態で、軸部３１ｃの上部が筒部３１ａに回動自在に内嵌されている。筒部３１ａは半体２１ａの左上端部に設けられ、筒部３１ｂは短側面部２２の右上端部から筒部３１ａの長さ分下がった位置に設けられている。筒部３１ａは筒部３１ｂに対して相対的に回動できるように構成されている。
下側の連結部３１の筒部３１ａは半体２１ａの左下端部に、筒部３１ｂは短側面部２２の右下端部から筒部３１ａの長さ分上がった位置に設けられている。
半体２１ｂと短側面部２３との間においても、上記と同様に、連結部３１，３１が設けられている。
以上の構成により、半体２１ａと短側面部２２との間、及び半体２１ｂと短側面部２３との間において、折り畳み、及び展開を自在に行うことができる。
【００７１】
連結部３２は、短側面部２２，２３の上下の端部に設けられた筒部と、該筒部から外側に突出するように設けられた軸部３２ｃ（図２０参照）と、長側面部２４，２５の上下の端部に設けられ、軸部３２ｃの端部が回動自在に内嵌される嵌合部３２ａ（図２０参照）とを有する。軸部３２ｃが嵌合部３２ａ内を回動することにより、短側面部２２，２３が長側面部２４，２５の内側に収納されるように構成されている。
【００７２】
連結部３３は、軸部３３ｃ（図２０参照）と、外嵌め部３３ａ（図２１参照）と、内嵌め部３３ｂ（図２１参照）とを有する。
図２１に示す上側の連結部３３においては、内嵌め部３３ｂは長側面部２４の左上部に設けられている。内嵌め部３３ｂは半円筒状をなし、上面の内側には筒部が突設されている。内嵌め部３３ｂは支持筒２の上下方向の略半分の長さを有する。軸部３３ｃの下部が前記筒部に内嵌され、軸部３３ｃの上部は上面を貫通して、上側に突出している。
外嵌め部３３ａは長側面部２５の右上部に設けられている。外嵌め部３３ａは半円筒状をなし、その上面が内嵌め部３３ｂの上面に当接し、軸部３３ｃが外嵌め部３３ａの上面の孔に、回動自在に内嵌された状態で、内嵌め部３３ｂに外嵌め部３３ａが嵌められる。
【００７３】
図２１に示す下側の連結部３３においては、内嵌め部３３ｂは長側面部２５の右下部に設けられ、外嵌め部３３ａは長側面部２４の左下部に設けられている。上記と同様にして、内嵌め部３３ｂに外嵌め部３３ａが嵌められる。
以上の構成により、長側面部２４，２５の内側に、短側面部２２，２３、及び半体２１ａ，２１ｂを折り込んで収納した状態で、長側面部２４，２５が合わせられるように構成されている（図２３参照）。
【００７４】
便器１１は、図２２に示すように支持筒２を展開し、支持筒２の下縁部の内側に底板部６を係止させた上で、一方の前記突起部２１ｅ、２２ｅ、２３ｅ、２４ｅ、２５ｅを脚部として、エレベータ等の床面に配置する。
そして、他方の突起部２１ｅ、２２ｅ、２３ｅ、２４ｅ、２５ｅに、便座３を嵌め合わせ、さらに便座３に座板部４を嵌め合わせることにより組み立てられる。
本実施の形態においては、支持筒２の軸方向の両端部に、突起部２１ｅ、２２ｅ、２３ｅ、２４ｅ、２５ｅが設けられており、いずれの端部を上側に向けてもよい。従って、突起部２１ｅ、２２ｅ、２３ｅ、２４ｅ、２５ｅのいずれかが破損したり、疵が付いたりした場合に、破損及び疵がない突起部を有する側の端部を脚部側とし、他端部の突起部に便座３を嵌めることができる。
【００７５】
以上のように、本実施の形態２の便器１１の３組の側面部はそれぞれ同一形状を有するので、成形する場合、金型が３つで済み、製造コストの低減が図られる。各側面部は蝶番からなる連結部の部品を有し、構造は簡単であり、上下を逆にすることで容易に連結される。
【００７６】
今回開示した実施の形態は、全ての点で例示であって、制限的なものではないと考えるべきである。本発明の範囲は、特許請求の範囲内での全ての変更及び特許請求の範囲と均等の範囲が含まれることが意図される。
【符号の説明】
【００７７】
１，１１  便器
２  支持筒
２１  連結側面部
２１ａ，２１ｂ  半体
２１ｃ  凹部
２１ｄ，２６，２８，２９，３０，３１，３２，３３  連結部
３０ａ，３０ｂ，３１ａ，３１ｂ  筒部
３０ｃ，３１ｃ，３２ｃ，３３ｃ  軸部
３２ａ  嵌合部
３３ａ  外嵌め部
３３ｂ  内嵌め部
２２，２３  短側面部
２４，２５  長側面部
３  便座
４  座板部
４１  閉塞板
５  クッション材
６  底板部
７  汚物袋
８  凝固剤
９  カバー
１０  エレベータ
１００  便器システム
【図１】
2014239872.tif 000003
【図２】
2014239872.tif 000004
【図３】
2014239872.tif 000005
【図４】
2014239872.tif 000006
【図５】
2014239872.tif 000007
【図６】
2014239872.tif 000008
【図７】
2014239872.tif 000009
【図８】
2014239872.tif 000010
【図９】
2014239872.tif 000011
【図１０】
2014239872.tif 000012
【図１１】
2014239872.tif 000013
【図１２】
2014239872.tif 000014
【図１３】
2014239872.tif 000015
【図１４】
2014239872.tif 000016
【図１５】
2014239872.tif 000017
【図１６】
2014239872.tif 000018
【図１７】
2014239872.tif 000019
【図１８】
2014239872.tif 000020
【図１９】
2014239872.tif 000021
【図２０】
2014239872.tif 000022
【図２１】
2014239872.tif 000023
【図２２】
2014239872.tif 000024
【図２３】
2014239872.tif 000025
【図２４】
2014239872.tif 000026